(57)【特許請求の範囲】
【請求項１】
踏み面（１１１）、及び、該踏み面（１１１）を少なくとも部分的に取り囲む側壁（１１２）を備えた踏み皿（１１０）と、
人間の足を踏み皿（１１０）に固定するための固定機構（１２０）とを有する、筋肉トレーニング器具の踏み皿装具（１００）において、
該固定機構（１２０）が、係止可能で振れ動き可能な留め具（１２１）として形成され、
留め具（１２１）の振れ動き支持部（１２２）は、振れ動き軸線（１２３）が踏み皿（１１０）の長手軸線（１１３）に対し実質的に平行に向けられており、また、踏み面（１１１）に、少なくとも間接的に、固定して接続されるコンパクトな支持ユニット（１２４）内に備えられており、
該支持ユニット（１２４）は、踏み皿（１１０）における、患者の足のインサイド側の近くにあるインサイド側の側壁（１１２）に固定され、また、このインサイド側の側壁（１１２）を介して踏み面（１１１）に、固定して接続されていることを特徴とする踏み皿装具。
【請求項２】
留め具（１２１）が、踏み面（１１１）上に置かれた足の上面から見て凹状に湾曲して形成されていることを特徴とする請求項１に記載の踏み皿装具。
【請求項３】
留め具（１２１）の振れ動き支持部（１２２）が、所定の振れ動き範囲にわたって、解除可能な係止を確実に実現できるように構成されていることを特徴とする請求項１または２に記載の踏み皿装具。
【請求項４】
所定の振れ動き範囲にわたって解除可能な係止を実現すべく、係止歯部（１２５）を有する係止ユニットが備えられていることを特徴とする請求項３に記載の踏み皿装具。
【請求項５】
振れ動き範囲は、留め具（１２１）が、踏み皿（１１０）内に置かれた足の上面の真上に来る位置・姿勢から出発して、少なくとも８０゜の角度範囲をカバーしていることを特徴とする、請求項３または４のいずれか一つに記載の踏み皿装具。
【請求項６】
支持ユニット（１２４）の全体が踏み皿（１１０）の内部領域中に配置されていることを特徴とする請求項１〜５のいずれかに記載の踏み皿装具。
【請求項７】
踏み皿（１１０）の内部領域に置かれた足の動きに実質上制限が加えられないことを確実にするように、支持ユニット（１２４）全体が充分に幅狭に形成されていることを特徴とする請求項１〜６のいずれかに記載の踏み皿装具。
【請求項８】
側壁（１１２）が、足を少なくともかかと（踵）の領域、及び足側面の領域で取り囲んでいることを特徴とする請求項１〜７のいずれかに記載の踏み皿装具。
【請求項９】
側壁（１１２）が一体に湾曲した形態にて具現されていることを特徴とする請求項１〜９のいずれかに記載の踏み皿装具。
【請求項１０】
留め具（１２１）は、踏み皿（１１０）が踏み面（１１１）上に足を載せ置くべく開いている第１の位置・姿勢から、バネ（１５０）の力に抗して第２の位置・姿勢へと可逆的にシフト可能であり、この第２の位置・姿勢では、足が留め具（１２１）でもって踏み皿（１１０）内に捕捉され、また、留め具（１２１）には、バネ（１５０）により、第１の位置・姿勢へと振れ動いて戻るように予め応力が加えられていることを特徴とする請求項１〜９のいずれかに記載の踏み皿装具。
【請求項１１】
振れ動き支持部（１２２）にて回転可能に支持されて周面の領域に歯切り部が形成された回動円板（１２８）に、留め具（１２１）の一方の端部が接続しており、該回動円板（１２８）の歯（１２９）がピン（１３０）の稜線部もしくはエッジ（１３１）と組み合わさって作動を行うものであり、ピン（１３０）には、回動円板（１２８）を第２の位置・姿勢で係止するように、バネ（１２７）により予め応力が加えられていることを特徴とする請求項１０に記載の踏み皿装具。
【請求項１２】
稜線部もしくはエッジ（１３１）がピン（１３０）の突出部（１３２）に形成されていることを特徴とする請求項１１に記載の踏み皿装具。
【請求項１３】
ピン（１３０）が支持ユニット（１２４）内で直線状に往復動可能に支持されていることを特徴とする請求項１１または１２に記載の踏み皿装具。
【請求項１４】
稜線部もしくはエッジ（１３１）が回動円板（１２８）の歯（１２９）に噛み合った状態から外れ出るようにして留め具（１２１）を第２の位置・姿勢での係止から解除すべく、ピン（１３０）がバネ（１２７）の力に逆らって動くことができることを特徴とする請求項１１から１３までのいずれか一つに記載の踏み皿装具。
【請求項１５】
レバー（１４０）が備えられ、レバー（１４０）は、自由端をなす第１端部（１４１）が手で操作され、該第１端部（１４１）とは逆の側の第２端部（１４２）がピン（１３０）と組み合わさって作動することで、ピン（１３０）をバネ（１２７）の力に逆らって動かし、留め具（１２１）を第２の位置・姿勢での係止から解除させることを特徴とする請求項１４に記載の踏み皿装具。
【請求項１６】
レバー（１４０）の第２端部（１４２）が、ピン（１３０）に設けた突出部（１４３）に接して配置されるか、または該突出部に取り付けられていることを特徴とする請求項１５に記載の踏み皿装具。
【発明の詳細な説明】
【技術分野】
【０００１】
本発明は、筋肉トレーニング機器の踏み皿装具に関する。
【背景技術】
【０００２】
この踏み皿装具には、踏み面、及び、該踏み面を少なくとも部分的に取り囲む側壁を有する踏み皿と、人の足を踏み皿に固定するための固定機構とが備えられる。
【０００３】
導入部に記載したような踏み皿装具は、公知のものとして用いられており、筋肉トレーニングを行っている患者の両足を、筋肉トレーニング機器の部材に、解除可能に固定して取り付けるようになっている。筋肉トレーニング機器における該部材は、足を通じて、筋肉トレーニング機器へと力を加えるために備えられるものである。知られている踏み皿装具には、次のような短所がある。踏み皿に置いた足を固定するためには、振れ動き機構が必要であるが、この振れ動き機構は、かさばって不恰好であり、重く、構造が複雑であり、また、足を固定するための操作に手間がかかるという短所がある。
【先行技術文献】
【特許文献】
【０００４】
【特許文献１】フランス特許出願公開FR2876657A
【特許文献２】フランス特許出願公開FR396563A
【特許文献３】米国特許US493696
【特許文献４】米国特許US5456138
【特許文献５】米国特許US605536
【発明の概要】
【発明が解決しようとする課題】
【０００５】
したがって、本発明の課題は、筋肉トレーニング機器の踏み皿装具における足固定機構ついて、寸法を小さくし、重量を軽くし、かつ、操作が容易になるようにすることである。
【課題を解決するための手段】
【０００６】
本発明によると、上記課題は、導入部で述べたような踏み皿装具について、以下のようにすることで解決される。固定機構には、係止可能で振れ動き可能な留め具が設けられる。この留め具を振れ動き可能に支持する振れ動き支持部は、振れ動き軸が踏み皿の長手方向軸に実質上平行に配置されており、踏み面に対して固定されて、少なくとも間接的に踏み面に接続されたコンパクトな支持ユニット内に備えられている。この支持ユニットは、踏み皿における、患者の足のインサイド（内側）に近いインサイド側の側壁（インサイド側壁）に取り付けられ、このインサイド側壁を通じて、踏み面に、固定して接続されている。
【図面の簡単な説明】
【０００７】
【図１】本発明による装置の好ましい実施例についての斜め上から見た図である。
【図２】本発明による装置の好ましい実施例についての斜め上から見た図である。
【図３】図１に示す、本発明の好ましい実施例についての横断面図である。
【発明を実施するための形態】
【０００８】
本発明の好ましい実施形態は、従属請求項の対象となっている。
【０００９】
本発明にのっとった装置は、次のような発明特定事項の組み合わせからなる。固定機構が係止可能に振れ動き可能な留め具として設けられる。該留め具の振れ動き支持部は、振れ動き軸線が踏み皿の長手軸線に対し実質的に平行になるように配置されており、コンパクトな支持ユニット内に設けられる。この支持ユニットは、踏み面に対し固定されるように、少なくとも間接的に踏み面に接続される。また、該支持ユニットは、踏み皿における、患者の足のインサイド付近にあるのインサイド側壁に取り付けられ、このインサイド側壁を介して踏み面に対し、固定して接続される。本発明にのっとった装置では、このような発明特定事項の組み合わせにより、次のことが実現される。一方では、利用者の足を、特に迅速且つ効率的に、踏み皿の領域に、取り外し可能に固定することができる。他方では、踏み皿の領域から特に迅速に取り外すことができる。ここで、留め具によって形成される固定機構は、利用者の側から容易にアクセス可能であって重量が軽く、また、省スペースであるように、踏み皿の領域に配置可能である。この踏み皿の振れ動き支持部は、振れ動きの軸線が、踏み皿の長手軸線に対し平行に配置されたものである。
【００１０】
本発明による装置の好ましい第１の実施形態によると、留め具が、踏み面上に置かれた足の上面から見て凹状に湾曲して形成されることが想定されている。
【００１１】
本発明による装置の他の好ましい実施形態によると、留め具の振れ動き支持部が、所定の振れ動き範囲にわたって、解除可能な係止を確実に実現できるように設けられることが想定されている。所定の振れ動きの範囲にわたって、解除可能な係止を実現するために、好ましくは、係止歯部を備えたラッチユニットが備えられる。
【００１２】
振れ動き範囲は、好ましくは、踏み皿内に置かれた足の真上に留め具が来る位置・姿勢（位置または姿勢）から出発して、少なくとも８０゜の角度範囲をカバーするように設定される。
【００１３】
本発明による装置における重要な好ましい実施形態によると、支持ユニットの全体が踏み皿の内部の領域内に配置される。踏み皿の内部領域に置かれた足の動きが、支持ユニットが側方から実質上制限を受けないような具合に、支持ユニットが全体として充分に狭い幅に設けられる。
【００１４】
側壁は、好ましくは、一体に、湾曲して具現され、足を、好ましくは、少なくともかかと（踵）の領域および足の両側部の領域で取り囲む。
【００１５】
本発明による装置の留め具は、好ましくは、踏み面上に足を載せるために踏み皿が開いている第１の位置・姿勢から、留め具を用いて足を踏み皿内に捕捉する第２の位置・姿勢へと、バネの力に抗して可逆的にシフト可能である。ここで、留め具には、バネにより予め応力（プレストレス）が加えられており、これにより、留め具は、係止を解除した際、第２の位置・姿勢から第１の位置・姿勢へと振れ動いて戻る。
【００１６】
本発明による装置の他の好ましい実施形態によると、次のことが想定されている。留め具の一端は、振れ動き支持部内にて、回転可能の取り付けられ周面上の領域に歯切部が形成された回動円板に接続されている。回動円板の歯切部は、ピンの稜線部もしくはエッジと組み合わさって作動する。ピンは、回動円板を第２の位置・姿勢にて係止すべく、バネにより予め応力（プレストレス）を受けている。
【００１７】
稜線部もしくはエッジは、ピンにおける突出部に形成されていてよい。
【００１８】
ピンは、支持ユニット内に、好ましくは、往復可能に、直線状に押し動かすことができるように取り付けられ、この際、バネの力に逆らって動くことができる。このようにして、稜線部もしくはエッジが、回動円板の歯と噛み合った状態から外れ出るようにし、第２の位置・姿勢での留め具の係止を解除する。
【００１９】
好ましくは、第２の位置・姿勢での留め具の係止を解除するためにレバーが備えられる。レバーの自由端をなす第１端部は手で操作される。レバーにおける、該第１端部とは逆の側の、第２端部はピンと組み合わさって作動を行う。このようにして、ピンをばねの力に抗して動かす。なお、レバーの第２端部は、ピンに備えられた突出部に接して配置されるかまたは取り付けられるのであっても良い。
【実施例】
【００２０】
図面に示された本発明の好ましい実施例について説明する。
【００２１】
図１及び３に示す、本発明にのっとった筋肉トレーニング器具における踏み皿・装具１００は、(1)踏み面１１１、及び、踏み面１１１を少なくとも部分的に取り囲む側壁１１２を有する踏み皿１１０と、(2)人間の足を踏み皿１１０に固定するための固定機構１２０とを含む。固定機構１２０は、係止可能で振れ動き可能な留め具１２１として形成される。この留め具１２１は、踏み面１１１上に載せられた足の上面から見て凹状に丸く湾入しており、留め具１２１の振れ動き軸受１２２は、その振れ動き軸線１２３が、踏み皿１１０の長手方向軸線１１３に対し実質的に平行になるように配置されている。
【００２２】
振れ動き軸受１２２は、踏み面１１１に間接的に固定されて接続されている軸受ユニット１２４内に備えられる。すなわち、軸受けユニット１２４は、踏み皿１１０の側壁１１２に固定されており、該側壁１１２を介して、踏み面１１１に、固定されて接続されている。側壁１１２は、一体に湾曲した形態で具現されており、足のかかと（踵）および側面の領域を取り囲んでいる。
【００２３】
留め具１２１の振れ動き軸受１２２は、所定の振れ動き範囲にわたって解除可能な固定を確実に実現するように形成されている。ここで、所定の振れ動き範囲内の至るところで解除可能に固定できるようにすることを目的として、係止・歯切り部１２５を有する係止ユニットが設けられている。
【００２４】
留め具１２１の振れ動き範囲は、留め具１２１が、踏み皿上に置かれた足の甲の直上にある位置・姿勢から出発して、約９０゜にわたってひろがる角度範囲をカバーしている。
【００２５】
軸受けユニット１２０の全体は、踏み皿１１０の内部領域に配置されるものの、次のような具合に幅狭に形成されている。すなわち、踏み皿１１０の内部領域に載せ置かれた足の動きが、支持ユニット１２０の側で、わずかしか制限を受けないような具合に幅狭に形成されている。
【００２６】
留め具１２１は、踏み面１１１上に足をセットするために踏み皿１１０が開いている第１の位置・姿勢から、バネ１５０の力に抗して、係止可能な第２の位置・姿勢へと可逆的にシフト可能である。第２の位置・姿勢では、足が該留め具１２１により踏み皿１１０内にトラップされる。ここで、留め具１２１は、係止を解除する際に、第２の位置・姿勢から第１の位置・姿勢へと振れ動いて戻るように、バネ１５０により予め応力（プレストレス）が加えられている。
【００２７】
留め具１２１の一端は、振れ動き軸受け１２２の内部で回転可能に支持されており、周面上の領域に歯切り部分を設けた回動円板１２８に接続されている。回動円板１２８の歯１２９は、バネ１２７によって予め応力（プレストレス）が加えられているピン１３０の稜線部１３１と組み合わさって作動を行うことで、回動円板１２８を第２の位置・姿勢にて係止する。なお、稜線部１３１はピン１３０における突出部１３２に形成されている。
【００２８】
ピン１３０は、軸受けユニット１２４内にて、直線状に往復動可能に取り付けられており、バネ１２７の力に逆らって動くことができる。このように動くことにより、稜線部１３１を、回動円板１２８の歯１２９との噛み合い状態から外れ出るようにすることで、留め具１２１についての第２の位置・姿勢での係止状態を解除するようにするのである。
【００２９】
レバー１４０が備えられており、レバー１４０は、自由端をなす第１端部１４１が手で操作され、第１端部１４１とは反対側の第２端部１４２が、ピン１３０と組み合さって作動する。このようにして、ピン１３０をバネ１２７の力に抗して移動させて、留め具１２１を第２の位置・姿勢での係止から解除するようになっている。この目的で、レバー１４０の第２端部１４２は、ピン１３０に設けられている突出部１４３の箇所にセットされている。
【００３０】
上述した本発明の実施形態は、請求の範囲により特定されているところの本発明に沿った判断基準について、よりよく理解できるようにする目的にのみ役立つものであり。本発明の判断基準がこの実施形態によって限定されるものではない。
【図１】
0005450808.tif 000002
【図２】
0005450808.tif 000003
【図３】
0005450808.tif 000004